(57)【要約】【課題】チャイルドレジスタンス機能が有効に発揮されるとともに、開け方を知る大人等にとっては簡単に蓋体を開く事ができる収納容器を提案する。【解決手段】本発明の収納容器は、底壁部２ａと周壁部２ｂとの内側に上部に開口部を備える収納空間Ｓを区画する容器１と、開口部を覆う天壁部４ａを有し、容器１に保持される蓋体４とを備え、容器１は、周壁部２ｂの内側に位置し、容器１に対して蓋体４を係止させる第一係止部３ｆを有し、蓋体４は、第一係止部３ｆに係合する第一係止受け部４ｄを有するとともに、天壁部４ａにおいて、第一係止受け部４ｄを第一係止部３ｆに対して離反させる向きに移動可能な伸縮部４ｅを有する。【選択図】図２
2019147607.tif 000002
【特許請求の範囲】
【請求項１】
底壁部と該底壁部につながる周壁部とを有し、該底壁部と該周壁部との内側に上部に開口部を備える収納空間を区画する容器と、該開口部を覆う天壁部を有し、該容器に保持される蓋体とを備える収納容器であって、
前記容器は、前記周壁部の内側に位置し、該容器に対して該蓋体を係止させる第一係止部を有し、
前記蓋体は、前記第一係止部に係合する第一係止受け部を有するとともに、前記天壁部において、該第一係止受け部を前記第一係止部に対して離反させる向きに移動可能な伸縮部を有する収納容器。
【請求項２】
前記天壁部は、前記第一係止受け部と前記伸縮部との間に位置する第一指掛け部を有する請求項１に記載の収納容器。
【請求項３】
前記容器は、前記第一係止部に対して対向する側の前記周壁部の内側に位置し、該容器に対して該蓋体を係止させる第二係止部を有し、
前記蓋体は、前記第一係止受け部に対して対向する側に設けられ、前記第二係止部に係合する第二係止受け部を有するとともに、前記天壁部において、該第二係止受け部と前記伸縮部との間に位置する第二指掛け部を有する請求項２に記載の収納容器。
【請求項４】
前記容器は、前記第一係止部に対して対向する側の前記周壁部の外側に位置し、前記蓋体を揺動させるヒンジを有する請求項１〜３の何れか一項に記載の収納容器。
【請求項５】
前記天壁部は、前記周壁部の上端部に当接するフランジ部を有する請求項１〜４の何れか一項に記載の収納容器。
【発明の詳細な説明】
【技術分野】
【０００１】
本発明は、上部に開口部を備える収納空間を有する容器と、開口部を覆う蓋体とを有する収納容器に関するものである。
【背景技術】
【０００２】
従来、例えば洗剤等の内容物を収める容器としては、特許文献１に示すような、底壁部と周壁部とを有し、これらの内側において上部に開口部を備える収納空間を区画する容器と、開口部を覆って容器に保持される蓋体とを備える収納容器が知られている。このような収納容器は、蓋体を上方に向けて押し上げればすぐに開くため、洗濯等の際に手間無く使用できる利点がある。
【先行技術文献】
【特許文献】
【０００３】
【特許文献１】実開平３−１７０５６号公報
【発明の概要】
【発明が解決しようとする課題】
【０００４】
しかし、このような収納容器は子どもでも簡単に開けることができるため、悪戯目的で蓋体が開けられて、内容物が誤飲される等の問題が生じるおそれがある。一方、このような問題に対してチャイルドレジスタンス機能を設けることも検討されているが、操作が複雑になると本来の使用者にとっても使い難くなる。
【０００５】
本発明は、このような問題点を解決することを課題とするものであり、チャイルドレジスタンス機能が有効に発揮されるとともに、開け方を知る大人等にとっては簡単に蓋体を開くことができる収納容器を提供することを目的とする。
【課題を解決するための手段】
【０００６】
本発明は、底壁部と該底壁部につながる周壁部とを有し、該底壁部と該周壁部との内側に上部に開口部を備える収納空間を区画する容器と、該開口部を覆う天壁部を有し、該容器に保持される蓋体とを備える収納容器であって、
前記容器は、前記周壁部の内側に位置し、該容器に対して該蓋体を係止させる第一係止部を有し、
前記蓋体は、前記第一係止部に係合する第一係止受け部を有するとともに、前記天壁部において、該第一係止受け部を前記第一係止部に対して離反させる向きに移動可能な伸縮部を有する収納容器である。
【０００７】
前記天壁部は、前記第一係止受け部と前記伸縮部との間に位置する第一指掛け部を有することが好ましい。
【０００８】
前記容器は、前記第一係止部に対して対向する側の前記周壁部の内側に位置し、該容器に対して該蓋体を係止させる第二係止部を有し、
前記蓋体は、前記第一係止受け部に対して対向する側に設けられ、前記第二係止部に係合する第二係止受け部を有するとともに、前記天壁部において、該第二係止受け部と前記伸縮部との間に位置する第二指掛け部とを有することが好ましい。
【０００９】
前記容器は、前記第一係止部に対して対向する側の前記周壁部の外側に位置し、前記蓋体を揺動させるヒンジを有することが好ましい。
【００１０】
前記天壁部は、前記周壁部の上端部に当接するフランジ部を有することが好ましい。
【発明の効果】
【００１１】
本発明の収納容器では、伸縮部を縮めて容器の第一係止部に対して蓋体の第一係止受け部を離反させる向きに移動させることが可能であって、これにより第一係止部と第一係止受け部との係合が解けるため、蓋体を開くことができる。すなわち、蓋体を上方に向けて押し上げるだけでは蓋体は開かないため、チャイルドレジスタンス機能が有効に発揮される。一方、伸縮部を縮めて蓋体を持ち上げれば開くため、開け方を知る大人等にとっては簡単に使用することができる。
【００１２】
また天壁部に、第一係止受け部と伸縮部との間に位置する第一指掛け部を設ける場合は、第一指掛け部に指をかけて伸縮部に向かって押圧すれば、伸縮部が縮まって蓋体を開けることができる。すなわち、開け方を知る大人等にとってはより簡単に蓋体を開くことができる。
【００１３】
そして、容器に対して上述した第二係止部を更に設け、また蓋体に対して上述した第二係止受け部と第二指掛け部を更に設ける場合は、蓋体を開くにあたっては、第一指掛け部と第二指掛け部の両方に指をかけてこれらが互いに近づくように力を加えたうえで蓋体を持ち上げなければならないため、更に有効にチャイルドレジスタンス機能を発揮させることができる。また、第一係止部と第一係止受け部のみの場合と比較して、偶発的に蓋体が開いてしまうことも起きにくくなる。
【００１４】
また、容器と蓋体とは分離しているものでもよいが、内容物を取り出すにあたっては開いた蓋体を容器の脇等に置く必要がある。一方、蓋体を揺動させるヒンジを容器に設ける場合は、開いた蓋体はヒンジによって容器に保持されたままなので使い勝手がよくなる。
【００１５】
そして天壁部に、周壁部の上端部に当接するフランジ部を設ける場合は、伸縮部を縮める際、天壁部に対して収納空間へ押し込むような力が作用しても、蓋体が収納空間の内側に落ち込んでしまうことがない。また、伸縮部を縮めて第一係止受け部を移動させる際は、フランジ部が周壁部の上端部をスライドしてガイドとして機能するため、蓋体を開く操作がより行いやすくなる。
【図面の簡単な説明】
【００１６】
【図１】本発明に従う収納容器の第一実施形態を示す、（ａ）は平面図であって、（ｂ）は（ａ）に示すＡ−Ａ線に沿う断面図である。
【図２】（ａ）は、図１（ａ）に示すＢ−Ｂ線に沿う断面図であって、（ｂ）は、第一実施形態の収納容器で蓋体を開く操作を説明する図である。
【図３】本発明に従う収納容器の第二実施形態を示す、（ａ）は平面図であって、（ｂ）は（ａ）に示すＣ−Ｃ線に沿う断面図である。
【図４】（ａ）は、図３（ａ）に示すＤ−Ｄ線に沿う断面図であって、（ｂ）は、第二実施形態の収納容器で蓋体を開く操作を説明する図である。
【図５】本発明に従う収納容器の第三実施形態を示す、（ａ）は平面図であって、（ｂ）は（ａ）に示すＥ−Ｅ線に沿う断面図である。
【図６】（ａ）は、図５（ａ）に示すＦ−Ｆ線に沿う断面図であって、（ｂ）は、第三実施形態の収納容器で蓋体を開く操作を説明する図である。
【発明を実施するための形態】
【００１７】
以下、図面を参照しながら本発明に従う収納容器の第一実施形態について説明する。なお、本明細書等における「上」、「下」の関係は、容器を水平面に載置した状態での向きをいう。また「後」とは、図１（ａ）においてヒンジ（符号ｈ）を設けた側であり、「前」とはその逆側である。
【００１８】
図１（ａ）、（ｂ）、及び図２（ａ）に示すように本実施形態の収納容器は、容器１と、蓋体４とを備えている。また容器１は、容器本体２と枠体３で構成されている。
【００１９】
容器本体２は、矩形状をなす板状の底壁部２ａと、底壁部２ａの外周縁部につながるとともに上方に向けて立ち上がる角筒状の周壁部２ｂとを備えている。周壁部２ｂの上端には、外向きフランジ部２ｃが設けられている。
【００２０】
枠体３は、本実施形態では周壁部２ｂとは別異の部材として設けられているが、周壁部２ｂの一部を構成するものである。枠体３は、図１（ｂ）及び図２（ａ）の部分拡大図に示すように、外向きフランジ部２ｃの上方に位置するとともに矩形の額縁状に形作られた枠体基部３ａと、枠体基部３ａの内周縁部から下向きに延在する枠体内周部３ｂと、枠体基部３ａの外周縁部から下向きに延在する枠体外周部３ｃとを備えている。本実施形態の枠体内周部３ｂ及び枠体外周部３ｃは、切れ目無く連続的につながっていて環状をなしているが、周方向に途中で分断して間欠的に設けてもよい。また、枠体内周部３ｂには、周壁部２ｂとの隙間を埋めるリブ３ｄが周方向に間隔をあけて設けられていて、枠体外周部３ｃには、外向きフランジ部２ｃに係合する爪状部３ｅが周方向に間隔をあけて設けられている。
【００２１】
更に枠体３は、図２（ａ）の部分拡大図に示すように、枠体３の前方における枠体内周部３ｂの内周面から突出する凸状の第一係止部３ｆを備えている。
【００２２】
このような容器本体２と枠体３によって、容器１は、底壁部２ａと周壁部２ｂとの内側に、上部に開口部を備える収納空間Ｓを区画している。
【００２３】
蓋体４は、収納空間Ｓの開口部を覆う天壁部４ａを備えている。天壁部４ａは、図１（ｂ）に示すように、枠体３の内側に設けられて、概略、有底筒状をなすものである。また天壁部４ａの上部外周縁部には、図１（ｂ）、図２（ａ）の部分拡大部に示すように、枠体３の上面に当接するフランジ部４ｂが設けられている。またフランジ部４ｂの外周縁部には、下方に向けて延在する蓋体外周部４ｃが設けられている。なお、図２（ａ）の部分拡大図に示すように、少なくとも天壁部４ａの前方における蓋体外周部４ｃと枠体外周部３ｃとの間には、通常時において隙間が設けられている。
【００２４】
また蓋体４は、図２（ａ）の部分拡大図に示すように、天壁部４ａの前方における外周面から突出する凸状の第一係止受け部４ｄを備えている。第一係止受け部４ｄは、蓋体４を閉めた状態において、第一係止部３ｆの下方に位置して第一係止部３ｆに係合している。
【００２５】
更に蓋体４は、図１（ａ）に示すように天壁部４ａの中央部において、伸縮部４ｅを備えている。本実施形態の伸縮部４ｅは、天壁部４ａを構成する部材を、上下に湾曲するように曲げて凹凸状に（蛇腹状に）形成したものである。この凹凸状部分は横向きに長く延在していて、天壁部４ａを前後方向に伸縮させることができる。すなわち、伸縮部４ｅを伸び縮みさせることによって、第一係止受け部４ｄを前後方向に移動させることができる。なお、伸縮部４ｅとしては、例えば天壁部４ａを構成する部材を上下に鋭角に曲げて鋸状に形成したものでもよい。また蓋体４を硬質材で形成しつつ、伸縮部４ｅは軟質材で形成してもよい。
【００２６】
また蓋体４は、第一係止受け部４ｄと伸縮部４ｅとの間において、天壁部４ａを下向きに凹ませるようにして形成した第一指掛け部４ｆを備えている。第一指掛け部４ｆは、伸縮部４ｅを後方に向けて縮める際に指をかける部分である。また第一指掛け部４ｆの後方内周面には、凸条をなし、指をかけた際に滑り止めとして機能する第一滑り止め部４ｇ（図２（ａ）参照）が設けられている。
【００２７】
更に蓋体４は、後方において、枠体３とヒンジｈを介して一体に連結している。これにより蓋体４は、容器１に対して揺動することができる。
【００２８】
このように構成される第一実施形態の収納容器によれば、通常時は図２（ａ）に示すように、容器１の第一係止部３ｆに蓋体４の第一係止受け部４ｄが係合しているため、蓋体４は閉じた状態で保持される。そして蓋体４を開くには、図２（ｂ）に示すように、指を第一指掛け部４ｆに掛けて後方へ向けて押圧して、蓋体４を持ち上げればよい。なおこのときは、図示したように他の指を、ヒンジｈ周辺に掛けておくと操作が容易である。これにより、伸縮部４ｅが縮んで第一係止受け部４ｄが後方に（第一係止部３ｆから離反する向きに）移動するため、第一係止部３ｆと第一係止受け部４ｄとの係合が解けて蓋体４を開くことができる。また、蓋体４のフランジ部４ｂは、枠体３の上面に当接しているため、指で第一指掛け部４ｆを下向きに押し込んだとしても、蓋体４が収納空間Ｓに落ち込んでしまうことがない。またフランジ部４ｂは、伸縮部４ｅを縮めて第一係止受け部４ｄを移動させる際、枠体３の上面に沿ってスライドし、ガイドとして機能するため、蓋体４を開く操作がより行いやすくなる。
【００２９】
このように本実施形態の収納容器では、伸縮部４ｅを縮めて蓋体４を持ち上げることによってこれを開くようにしているため、子どもが悪戯目的で蓋体４を開けようとしても、これを有効に防止することができる。また、第一指掛け部４ｆに指が掛かったとしても、子どもの手は小さく、他の指がヒンジｈ周辺に掛かり難いため、悪戯目的での蓋体４の開きをより確実に防止することができる。
【００３０】
次に、本発明に従う収納容器の第二実施形態について、図３、図４を参照しながら説明する。なお、第一実施形態と共通する部分は、図面に同一の符号を付して説明を省略する。
【００３１】
本実施形態の収納容器は、上述した枠体３に対して、図４（ａ）の部分拡大図に示すように、枠体３の後方における枠体内周部３ｂの内周面から突出する凸状の第二係止部３ｇを設けたものである。また蓋体４には、図４（ａ）の部分拡大図に示すようにその後方において、上述した第一係止受け部４ｄと略同形状であって、第二係止部３ｇに係合する第二係止受け部４ｈが設けられている。更に、伸縮部４ｅと第二係止受け部４ｈとの間には、図３（ａ）に示すように第一指掛け部４ｆ及び第一滑り止め部４ｇと略同径状になる、第二指掛け部４ｊ及び第二滑り止め部４ｋが設けられている。
【００３２】
このような構成になる第二実施形態の収納容器によれば、通常時は容器１の第一係止部３ｆに蓋体４の第一係止受け部４ｄが係合するとともに、第二係止部３ｇに第二係止受け部４ｈが係合しているため、蓋体４は閉じた状態で保持される。また蓋体４を開く際には、図４（ｂ）に示すように、指を第一指掛け部４ｆに掛けるとともに、他の指を第二指掛け部４ｊに掛けて、両方の指が互いに近づくように力を加える。これにより、伸縮部４ｅが縮んで第一係止受け部４ｄが後方に移動し、第二係止受け部４ｈが前方に移動するため、第一係止受け部４ｄ及び第二係止受け部４ｈとの係合が解けて蓋体４を開くことができる。
【００３３】
本実施形態の収納容器において蓋体４を開くには、第一指掛け部４ｆと第二指掛け部４ｊの両方に指を掛け、更にこれらの指が互いに近づくように力を加えて蓋体４を持ち上げるようにしている。このため、子どもにとっては容易に蓋体４を開けることはできず、チャイルドレジスタンス機能を有効に発揮させることができる。なお、第一指掛け部４ｆと第二指掛け部４ｊとの間隔はある程度広げておき、子どもの手では両方の指掛け部に対して容易には届かない距離にしておくことによって、更にチャイルドレジスタンス機能を有効に発揮させることができる。また蓋体４は、前方と後方の両方で容器１に係止されているため、一方だけで係止されている場合と比較して、蓋体４が偶発的に開くことも起きにくくなる。
【００３４】
次に、本発明に従う収納容器の第三実施形態について、図５、図６を参照しながら説明する。
【００３５】
本実施形態の収納容器は、第二実施形態の収納容器に設けていた、フランジ部４ｂの外周縁部から下方に向けて延在する蓋体外周部４ｃ（図４（ａ）の部分拡大図を参照）を、図５（ｂ）、図６（ａ）に示すように、前方、右方、左方において省略したものである。
【００３６】
なお、第二実施形態のように蓋体外周部４ｃを設ける場合は、蓋体４が変形しにくくなる利点があるが、本実施形態のように蓋体外周部４ｃを省略する場合は、伸縮部４ｅを縮めた際、フランジ部４ｂは枠体外周部３ｃによって移動が妨げられることがない。このため、蓋体４の第一係止受け部４ｄと第二係止受け部４ｈは、第一係止部３ｆと第二係止部３ｇに対してより確実に離反するため、第一係止受け部４ｄ等が第一係止部３ｆ等に引っ掛かって蓋体４が無理に開けられる等の不具合が起きにくくなる。
【００３７】
以上、本発明について具体的な実施形態を示しながら説明したが、本発明に従う収納容器は上述した実施形態に限られるものではなく、特許請求の範囲に従う範疇で種々の変更を加えたものも含まれる。例えば容器１と蓋体４は、ヒンジｈを介して一体に連結しているが、ヒンジｈを設けずに両者が分離するようにしてもよい。また容器１は、容器本体２と枠体３で構成されているが、両者を一体化してもよい。
【符号の説明】
【００３８】
１：容器
２：容器本体
２ａ：底壁部
２ｂ：周壁部
２ｃ：外向きフランジ部
３：枠体
３ａ：枠体基部
３ｂ：枠体内周部
３ｃ：枠体外周部
３ｄ：リブ
３ｅ：爪状部
３ｆ：第一係止部
３ｇ：第二係止部
４：蓋体
４ａ：天壁部
４ｂ：フランジ部
４ｃ：蓋体外周部
４ｄ：第一係止受け部
４ｅ：伸縮部
４ｆ：第一指掛け部
４ｇ：第一滑り止め部
４ｈ：第二係止受け部
４ｊ：第二指掛け部
４ｋ：第二滑り止め部
Ｓ：収納空間
ｈ：ヒンジ
【図１】
2019147607.tif 000003
【図２】
2019147607.tif 000004
【図３】
2019147607.tif 000005
【図４】
2019147607.tif 000006
【図５】
2019147607.tif 000007
【図６】
2019147607.tif 000008